【手続補正書】
【提出日】平成29年10月31日(2017.10.31)
【手続補正１】
【補正対象書類名】特許請求の範囲
【補正対象項目名】全文
【補正方法】変更
【補正の内容】
【特許請求の範囲】
【請求項１】
電子の照射によりＸ線を発生する透過型のターゲット及び前記ターゲットを保持する陽極部材を有する陽極と、前記ターゲットに電子を照射する電子放出源及び前記電子放出源に接続される陰極部材を有する陰極と、前記陽極部材と前記陰極部材との間に配置され前記陽極部材と前記陰極部材のそれぞれと気密接合される絶縁管と、を備えたＸ線発生管、及び、前記陽極部材に接続され前記Ｘ線発生管を収納する導電性の収納容器、を備えたＸ線発生装置であって、
前記陽極部材は、前記ターゲットを保持し、前記収納容器に電気的に接続される外側陽極部材と、前記絶縁管の管軸方向において、前記外側陽極部材と前記電子放出源との間に位置し、前記絶縁管に接合される内側陽極部材と、を備え、
管径方向における前記絶縁管の外側において、前記内側陽極部材が前記外側陽極部材と伝熱的に接続されていることを特徴とするＸ線発生装置。
【請求項２】
前記内側陽極部材と前記外側陽極部材との伝熱的な接続部は、管軸方向を囲んで環状に延在していることを特徴としている請求項１に記載のＸ線発生装置。
【請求項３】
透過型のターゲット及び前記ターゲットに接続される陽極部材を有する陽極と、電子放出源及び前記電子放出源に接続される陰極部材を有する陰極と、前記陽極部材と前記陰極部材との間に配置され前記陽極部材と前記陰極部材のそれぞれと気密接合される絶縁管と、を備えたＸ線発生管、及び、前記陽極部材に接続され前記Ｘ線発生管と絶縁性液体とを収納する導電性の収納容器、を備えたＸ線発生装置であって、
前記陽極部材は、前記ターゲットから前記収納容器に熱を伝導する外側陽極部材と、前記電子放出源から前記絶縁性液体に熱を伝導する内側陽極部材と、を有することを特徴とするＸ線発生装置。
【請求項４】
前記内側陽極部材は、前記絶縁管を介して又は直接、前記電子放出源から前記絶縁性液体に熱を伝導することを特徴とする請求項３に記載のＸ線発生装置。
【請求項５】
管径方向における前記絶縁管の外側において、前記内側陽極部材と前記外側陽極部材との間に接続部を形成して前記内側陽極部材は前記外側陽極部材に接続されていることを特徴とする請求項３又は４に記載のＸ線発生装置。
【請求項６】
前記管径方向における前記接続部の内側において、前記内側陽極部材と前記外側陽極部材とは接触部を形成して互いに接触していることを特徴とする請求項５に記載のＸ線発生装置。
【請求項７】
前記管径方向における前記接続部の内側において、前記内側陽極部材と前記外側陽極部材とは互いに接続されていないことを特徴とする請求項５又は６に記載のＸ線発生装置。
【請求項８】
前記内側陽極部材と前記外側陽極部材とを伝熱的に接続し、管軸方向を囲んで環状に延在している伝熱的な接続部を有することを特徴とする請求項３乃至７のいずれか１項に記載のＸ線発生装置。
【請求項９】
前記電子放出源は前記ターゲットに電子を照射することを特徴とする請求項３乃至８のいずれか１項に記載のＸ線発生装置。
【請求項１０】
前記ターゲットは電子の照射によりＸ線を発生することを特徴とする請求項３乃至９のいずれか１項に記載のＸ線発生装置。
【請求項１１】
前記内側陽極部材と前記外側陽極部材とは、前記内側陽極部材と前記外側陽極部材のいずれよりも熱伝導性が高い接合材を介して接合されていることにより、伝熱的に接続されていることを特徴とする請求項１乃至１０のいずれか１項に記載のＸ線発生装置。
【請求項１２】
前記外側陽極部材が、前記管径方向の外周縁より前記絶縁管側に突出する管状外周部を有し、前記管状外周部の内周面と前記内側陽極部材の外周面とが前記接合材を介して互いに接合されており、
前記管軸方向において、前記内側陽極部材の表面と前記外側陽極部材の表面とが互いに接触していることを特徴とする請求項１１に記載のＸ線発生装置。
【請求項１３】
前記管径方向において、前記接合材の長さは、前記内側陽極部材と前記外側陽極部材とが互いに接触している領域の長さよりも短いことを特徴とする請求項１１又は１２に記載のＸ線発生装置。
【請求項１４】
前記内側陽極部材と前記外側陽極部材とは、熱融着領域を介して接合されていることにより、伝熱的に接続されていることを特徴とする請求項１乃至１０のいずれか１項に記載のＸ線発生装置。
【請求項１５】
前記外側陽極部材が、前記管径方向の外周縁より前記絶縁管側に突出する管状外周部を有し、
前記管状外周部の内周面と前記内側陽極部材の外周面、及び前記管軸方向における前記内側陽極部材の表面と前記外側陽極部材の表面とがそれぞれ互いに接触する接触面を有しており、
前記管状外周部の内周面と前記内側陽極部材の外周面とが、前記接触面において、前記熱融着領域を介して接合されていることを特徴とする請求項１４に記載のＸ線発生装置。
【請求項１６】
前記管状外周部の、前記熱融着領域を介して前記内側陽極部材に接合されている領域が、前記内側陽極部材と同じ素材で形成されていることを特徴とする請求項１５に記載のＸ線発生装置。
【請求項１７】
前記外側陽極部材は、前記管軸方向において、前記収納容器より外側に位置することを特徴とする請求項１乃至１６のいずれか１項に記載のＸ線発生装置。
【請求項１８】
前記ターゲットから前記外側陽極部材を介して前記収納容器に至る熱伝導経路の、前記ターゲットよりも前記収納容器に近い側において、前記内側陽極部材と前記外側陽極部材とが伝熱的に接続されていることを特徴とする請求項１乃至１７のいずれか１項に記載のＸ線発生装置。
【請求項１９】
前記外側陽極部材と前記ターゲットとは環状に気密接合されていることを特徴とする請求項１乃至１８のいずれか１項に記載のＸ線発生装置。
【請求項２０】
前記電子放出源は熱陰極である請求項１乃至１９のいずれか１項に記載のＸ線発生装置。
【請求項２１】
請求項１乃至２０のいずれか１項に記載のＸ線発生装置と、前記Ｘ線発生装置から発生し被検体を透過したＸ線を検出するＸ線検出装置と、前記Ｘ線発生装置と前記Ｘ線検出装置とを連携制御するシステム制御部とを有することを特徴とするＸ線撮影システム。
【手続補正２】
【補正対象書類名】明細書
【補正対象項目名】０００８
【補正方法】変更
【補正の内容】
【０００８】
上記課題を解決するための本発明の第１は、電子の照射によりＸ線を発生する透過型のターゲット及び前記ターゲットを保持する陽極部材を有する陽極と、前記ターゲットに電子を照射する電子放出源及び前記電子放出源に接続される陰極部材を有する陰極と、前記陽極部材と前記陰極部材との間に配置され前記陽極部材と前記陰極部材のそれぞれと気密接合される絶縁管と、を備えたＸ線発生管、及び、前記陽極部材に接続され前記Ｘ線発生管を収納する導電性の収納容器、を備えたＸ線発生装置であって、
前記陽極部材は、前記ターゲットを保持し、前記収納容器に電気的に接続される外側陽極部材と、前記絶縁管の管軸方向において、前記外側陽極部材と前記電子放出源との間に位置し、前記絶縁管に接合される内側陽極部材と、を備え、
管径方向における前記絶縁管の外側において、前記内側陽極部材が前記外側陽極部材と伝熱的に接続されていることを特徴とする。
また、本発明の第２は、透過型のターゲット及び前記ターゲットに接続される陽極部材を有する陽極と、電子放出源及び前記電子放出源に接続される陰極部材を有する陰極と、前記陽極部材と前記陰極部材との間に配置され前記陽極部材と前記陰極部材のそれぞれと気密接合される絶縁管と、を備えたＸ線発生管、及び、前記陽極部材に接続され前記Ｘ線発生管と絶縁性液体とを収納する導電性の収納容器、を備えたＸ線発生装置であって、
前記陽極部材は、前記ターゲットから前記収納容器に熱を伝導する外側陽極部材と、前記電子放出源から前記絶縁性液体に熱を伝導する内側陽極部材と、を有することを特徴とする。
【手続補正３】
【補正対象書類名】明細書
【補正対象項目名】０００９
【補正方法】変更
【補正の内容】
【０００９】
本発明の第３は、上記本発明の第１又は第２のＸ線発生装置と、前記Ｘ線発生装置から発生し被検体を透過したＸ線を検出するＸ線検出装置と、前記Ｘ線発生装置と前記Ｘ線検出装置とを連携制御するシステム制御部とを有することを特徴とするＸ線撮影システム